(57)【要約】【課題】どの方向からも筆記できるように、軸体内に、筆圧により先端部が軸径方向に撓むことのない複数の剛体のペン基本体を周状に配列したペン先において、筆記時の筆圧によりペン基本体が後退可能とすることで、抑揚感と筆跡幅に変化をもたらすことが可能なペン先とする。【解決手段】ペン基本体保持部材４を、小径な前方突設部４ａと、後方に向かうにしたがってより軸心から離間する複数の収容溝６を周状に複数有した本体部４ｂと、小径な小軸部４ｃと、後端鍔部４ｄとで構成するとともに、前後に連通したインキ流通路８を設け、前方突設部４ａにスリット９を設ける。前記収容溝６に遊嵌する挿着部２ｃを有し、先端部２ａに切割溝３を設けた剛体の複数のペン基本体２を、前記挿着部２ｃを本体部４ｂの収容溝６に挿入し、ペン基本体２とペン基本体保持部材４との間にコイルばね１５を張架して前後動可能に軸体５内に挿着する。【選択図】図２
2012131196.tif 000002
【特許請求の範囲】
【請求項１】
外周面上に後方に向かうにしたがってより軸心から離間する複数の収容溝を周状に複数有し、少なくとも後端を開口し前後に延びたインキを先端に流通するためのインキ流通路と、先端部にインキ流通路に連通したスリットを有したペン基本体保持部材に、ペン基本体保持部材の収容溝に遊嵌可能な挿着部を有した先端部が筆圧により軸径方向に撓むことのない剛体の複数のペン基本体を、挿着部を収容溝に遊嵌してペン基本体保持部材に対して前後動可能に配し、集合した各ペン基本体の先端部の全体形状が先窄み状となるように設けるとともに、ペン基本体の先端部の内壁面とペン基本体保持部材のスリットを設けた外壁面との間に毛管作用によりインキが滞留するインキ滞留部が形成されるように設けて、軸体内に、軸体に体してペン基本体保持部材が前後動することなく、ペン基本体の先端が軸体の先端より突出して挿着するとともに、ペン基本体とペン基本体保持部材との間にばねを張架し、筆圧によりペン基本体がペン基本体保持部材に対して、各ペン基本体の先端が互いに接近または離間するように前後動可能としたことを特徴とするペン先。
【請求項２】
前記ペン基本体の先端部に、先端に開口し前記インキ滞留部に連通した切割溝を設けたことを特徴とする、請求項１に記載のペン先。
【発明の詳細な説明】
【技術分野】
【０００１】
本発明は、軸体内に、筆圧により先端部が軸径方向に撓むことのない複数の剛体のペン基本体を周状に配列して、各ペン基本体の先端部の全体形状が先窄み形状となるように設けたペン先に関する。
【背景技術】
【０００２】
従来、どの方向からも筆記面に筆記できる無方向性のペン先として、複数のペン基本体を周状に配列して、集合した各ペン基本体の先端部の全体形状が略円錐形状となるように集合してなるペン先は知られており、ペン基本体が、筆圧により先端部が軸径方向に撓むことのない剛体に形成されたものも、特開２００３−１６５２９３号により知られている。
【０００３】
ペン基本体が金属製の平板で形成されたものであれば、万年筆のペンのように筆記時における筆圧により、各ペン基本体の先端部は軸径方向に撓み抑揚感を得ることができるが、前記したようにペン基本体が剛体に形成されたものでは、先端部は軸径方向に撓むことがなく、前記したような抑揚感が得られないという問題があった。
【０００４】
また、万年筆においては、筆記時の筆圧により、ペンの先端に形成された切割溝により先端が開き、紙面等の筆記面へインキを流出するための前記切割溝で構成されたインキ流出路の幅が広くなるので、筆跡幅に変化をもたらすことができるが、前記したように剛体の複数のペン基本体で構成された無方向性のペン先にあっては、ペン先の先端へのインキ流出は各ペン基本体間で形成される隙間に依存しており、筆記時の筆圧によりペン基本体が軸径方向に撓んだり前後動したりしないので、前記隙間量に変化がおこらず、筆跡幅に変化をもたらすこともできなかった。
【先行技術文献】
【特許文献】
【０００５】
【特許文献１】特開２００３−１６５２９３号公報
【発明の概要】
【発明が解決しようとする課題】
【０００６】
本発明は前記事実に鑑みてなされたもので、どの方向からも筆記できるように、軸体内に、筆圧により先端部が軸径方向に撓むことのない複数の剛体のペン基本体を周状に配列して、集合した各ペン基本体の先端部の全体形状が先窄み状となるようにしたペン先において、筆記時の筆圧によりペン基本体が後退可能とすることで、抑揚感と筆跡幅に変化をもたらすことが可能なペン先を得ることにある。
【課題を解決するための手段】
【０００７】
本発明は、
「１．外周面上に後方に向かうにしたがってより軸心から離間する複数の収容溝を周状に複数有し、少なくとも後端を開口し前後に延びたインキを先端に流通するためのインキ流通路と、先端部にインキ流通路に連通したスリットを有したペン基本体保持部材に、ペン基本体保持部材の収容溝に遊嵌可能な挿着部を有した先端部が筆圧により軸径方向に撓むことのない剛体の複数のペン基本体を、挿着部を収容溝に遊嵌してペン基本体保持部材に対して前後動可能に配し、集合した各ペン基本体の先端部の全体形状が先窄み状となるように設けるとともに、ペン基本体の先端部の内壁面とペン基本体保持部材のスリットを設けた外壁面との間に毛管作用によりインキが滞留するインキ滞留部が形成されるように設けて、軸体内に、軸体に体してペン基本体保持部材が前後動することなく、ペン基本体の先端が軸体の先端より突出して挿着するとともに、ペン基本体とペン基本体保持部材との間にばねを張架し、筆圧によりペン基本体がペン基本体保持部材に対して、各ペン基本体の先端が互いに接近または離間するように前後動可能としたことを特徴とするペン先。
２．前記ペン基本体の先端部に、先端に開口し前記インキ滞留部に連通した切割溝を設けたことを特徴とする、前記１項に記載のペン先。」
である。
【０００８】
前記ペン基本体保持部材に設けるインキ流通路は、孔で構成しても良いし、さらに前記孔に繊維状のインキ誘導芯等を挿入して構成しても良く、本発明のペン先を装着する軸筒内に収容したインキをペン基本体保持部材の先端部に確実に流通できればどのような構造でも良い。また、ペン基本体保持部材の先端部に形成するスリットの数は、特に限定されず、インキ滞留部に充分に供給できれば１つでも良いし、例えばペン基本体の数だけ設けても良い。
【発明の効果】
【０００９】
本発明は前記したような構造なので、どの方向からも筆記できるように、軸体内に、筆圧により先端部が軸径方向に撓むことのない複数の剛体のペン基本体を周状に配列して、集合した各ペン基本体の先端部の全体形状が先窄み状となるように設けたペン先であっても、筆記時の筆圧によりペン基本体が筆圧に対応して後退するので、抑揚感を得ることができ、かつ各ペン基本体の先端が筆圧により後退して互いに離間するので、筆跡幅に変化をもたらすことができる。
【００１０】
請求項２に係る発明とすることで、ペン基本体が後退して各ペン基本体の先端が互いに離間することで各ペン基本体間の隙間量が広くなり、毛細管としての機能が低下して各ペン基本体の先端へのインキ供給量が少なくなっても、ペン基本体の後退による幅が変化しない切割溝によりインキが供給できるので、ペン基本体の先端に充分にインキを供給することができる。
【図面の簡単な説明】
【００１１】
【図１】本発明のペン先の実施例を示す、ペン先の斜視図である。
【図２】本発明のペン先の実施例を示す、ペン先の要部を断面した図である。
【図３】本実施例におけるペン基本体の拡大斜視図である。
【図４】本実施例におけるペン基本体保持部材の拡大斜視図である。
【図５】本実施例におけるペン基本体保持部材にペン基本体を装着した状態を示す、拡大斜視図である。
【図６】図２において、ペン基本体が後退した状態を示す、ペン先の要部を断面した図である。
【図７】実施例のペン先を装着した筆記具の一例を示す、筆記具の要部を断面した図である。
【図８】実施例のペン先を装着した筆記具の他の例を示す、筆記具の要部を断面した図である。
【発明を実施するための形態】
【００１２】
本発明は、先窄み状の先端部を有した、筆圧により先端部が軸径方向に撓むことのない剛体の複数のペン基本体を、後端から先端に連通したインキを流通するためのインキ流通路を有したペン基本体保持部材に、該ペン基本体保持部材に対して前後動可能に装着するものである。
【実施例】
【００１３】
本発明のペン先の実施例を、図１〜図６を用いて説明する。
本実施例のペン先１は、前方に向かって軸径方向と周方向において先窄み状の先端部２ａを有し、該先端部２ａに軸心方向に延び先端に開口した切割溝３を設けた、筆圧により先端部２ａが軸径方向に撓むことのない剛体の複数のペン基本体２と、該ペン基本体２を周状に配列して保持するためのペン基本体保持部材４と、前記ペン基本体２とペン基本体保持部材４を装着しインキを収容する軸筒（図示せず）の先端に連接可能な軸体５とで構成されている。
【００１４】
ペン基本体保持部材４は、図２および図４に示すように、小径な前方突設部４ａと、該前方突設部４ａより大径で、後方（図４において右側方向）に向かうにしたがい漸次大径となるテーパー状の本体部４ｂと、該本体部４ｂより小径な小軸部４ｃと、本体部４ｂより大径な後端鍔部４ｄとで構成されている。本体部４ｂの外周面には、該本体部４ｂのテーパーに沿って複数の収容溝６を設けてある（図４を参照）。また、ペン基本体保持部材４には、後端鍔部４ｄの後端から前方突設部４ａの先端に貫通した貫通孔７を形成し、内部に繊維束からなるインキ誘導芯を挿入してインキを流出するためのインキ流通路８を設けてある。前記前方突設部４ａは、先端部４ａａをさらに小径にし、一方をインキ流通路８に連通し他方を外方に開口した、収容溝６と同数のスリット９を設けてある。
【００１５】
前記ペン基本体２は、図２および図３に示すように、本体部２ｂの前方に先窄み状の先端部２ａを、後方に前記収容溝６に遊嵌する挿着部２ｃを有した形状としてあり、該挿着部２ｃは収容溝６のテーパーにならい、後端が後方に向かうにしたがって軸心Ｈより離間するように形成してある。挿着部２ｃの後端には、内方に突出した突出部１０を設けてある。また、先端部２ａは、後方に向かうにしたがって肉厚が漸次厚くなり、各ペン基本体２をペン基本体保持部材４に挿着した際に、各ペン基本体２の先端部２ａの内壁面がペン基本体保持部材４の中心軸線上で互いに当接するように形成してある。
【００１６】
各ペン基本体２をペン基本体保持部材４に、挿着部２ｃをペン基本体保持部材４の収容溝６に遊嵌し、挿着部２ｃの突出部１０を小軸部４ｃに対向して挿着し、各ペン基本体２の先端部２ａの全体形状を略円錐形としてある。各ペン基本体２の先端部２ａの後端には切欠部１１を設けてあり、該切欠部１１で構成された挿入孔１２（図２を参照）を形成してある。該挿入孔１２の内径は、ペン基本体保持部材４の前方突設部４ａの先端部４ａａの外径より若干大径となるように形成してあり、先端部４ａａのスリット９の周りの外壁面とペン基本体２の先端部２ａの内壁面との間の隙間は、毛管作用によりインキが溜まるインキ滞留部１３としてある。
【００１７】
ペン基本体２の本体部２ｂの内壁面に形成した段部１４の後端面とペン基本体保持部材４の本体部４ｂの前端面との間にコイルばね１５を張架してある。
【００１８】
前記軸体５は、図２に示すように、内部形状が、ペン基本体保持部材４に挿着したペン基本体２を収容可能で各ペン基本体２が後退（図２において右側方向）可能な、ペン基本体２の本体部２ａのテーパー状の外形にならったテーパー状の内壁面を有する前方内壁部５ａと、該前方内壁部５ａの内径より大径でペン基本体保持部材４の後端鍔部部４ｄの外径より大径な後方内壁部５ｂとからなる形状である。軸体５に、前記ペン基本体保持部材４に各ペン基本体２を装着した状態で、前方内壁部５ａの内部にペン基本体保持部材４の前方突設部４ａ、本体部４ｂ、小軸部４ｃを配し、後端鍔部４ｄを後方内壁部５ｂに配し、後端鍔部４ｄを前方内壁部５ａの後端面に当接して挿着してペン先１としてある。
【００１９】
本実施例の軸体５には、ペン先１を装着する軸筒に着脱自在に装着できるように、雌ねじ部１６を設けて軸筒に着脱自在に装着可能としてあるが、軸筒に係る内部構造等や軸筒との装着構造については限定されるものではない。また、本実施例においては、軸体５内にペン基本体保持部材４を固定しておらず、本実施例のペン先１を装着する軸筒等によりペン基本体保持部材４が軸体５より抜け出さないような構造としてあるが、軸体５の後方内壁部５ｂの壁面に雌ねじ部を形成し、ペン基本体保持部材４の後端鍔部４ｄの外周面に雄ねじ部を形成してねじ嵌合することで、ペン基本体保持部材４を軸体５内に固定しても良い。
【００２０】
本実施例のペン先１は、各ペン基本体２がペン基本体保持部材４に対して、突出部１０のペン基本体保持部材４の本体部４ａと後端鍔部４ｄ間の移動距離だけ前後動可能となり、筆記時の筆圧により、図６に示すようにペン基本体２は後退するが、ペン基本体２はコイルばね１５により前方方向（図６において左側方向）に付勢されているので、筆圧の強弱によりペン基本体２の後退量も変わるので、万年筆のペン先のように筆記時における抑揚感を感ずることができる。また、ペン基本体２が後退することで各ペン基本体２の先端部分は拡開するので、筆跡幅に変化をもたらすことができる。
【００２１】
また、本実施例のペン先１は、ペン先１を装着した筆記具の軸筒内に収容したインキを、ペン基本体保持部材４に設けたインキ流通路８を通ってペン基本体保持部材４の前方突設部４ａの先端に流出し、スリット９を介してインキ滞留部１３にインキが溜り、各ペン基本体２との間に形成される隙間１７やペン基本体２の先端部２ａに設けた切割溝３により（図１を参照）、ペン基本体２の先端に供給される。ペン基本体２が後退して、各ペン基本体２との間に形成される隙間１７が拡開して先端へのインキ供給の性能が落ちても、インキ出が出渋り状態になるという問題は解消される。
【００２２】
次に、本実施例のペン先１を装着した筆記具の具体例を図７および図８を用いて簡単に説明すると、図７に示す筆記具１０１は、例えば、軸筒１０２の内部に筆記用インキ（図示せず）を直に収容する構造のもので、軸筒１０２の内部をインキ収容部１０３とし、軸筒１０２の先端には、櫛溝１０４と前後端に開口して連通したインキ流出溝（図示せず）を有したペン芯１０５をペン芯保持部材１０６を介して装着してある。この軸筒１０２に、本実施例のペン先１を、軸体５に設けた雌ねじ部１６と軸筒１０２に設けた雄ねじ部１０７をねじ嵌合により連接し、ペン芯１０５の前端をペン基本体保持部材４の後端鍔部４ｄの後端に当接して、ペン芯１０５のインキ流出溝（図示せず）とインキ流通路８を連通させることで、各ペン基本体２の先端にインキを供給可能とするものである。
【００２３】
図８に示す筆記具２０１は、本実施例のペン先１を装着する軸筒２０２は、櫛溝２０３と前後端に開口して連通したインキ流出溝（図示せず）を有し、後端にインキカートリッジ２０４を挿着した際にインキ流出防止用のための開口部を閉塞した蓋（図示せず）をずらして開口部を開口するための後方（図５において右側方向）に突出した突起部２０５を有したペン芯２０６をペン芯保持部材２０７を介して装着した前軸２０２ａと、該前軸２０２ａの後端に、ねじ嵌合により着脱自在に連接する、後端を閉塞し前記ペン芯２０６に挿着したインキカートリッジ２０４を収容可能な収容室２０８を有した後軸２０２ｂとで構成されている。この軸筒２０２に、本実施例のペン先１を、軸体５に設けた雌ねじ部１６と前軸２０２ａに設けた雄ねじ部２０９をねじ嵌合により連接することで、筆記具として使用することができる。前軸２０２ａに装着したペン芯２０６の前端をペン基本体保持部材４の鍔部４ｄの後端に当接して、ペン芯２０６のインキ流出溝（図示せず）とインキ流通路８を連通させることで、各ペン基本体２の先端にインキを供給可能とするものである。
【産業上の利用可能性】
【００２４】
本発明は、どの方向からも筆記面に筆記できる、筆圧により先端部が軸径方向に撓むことのない剛体の複数のペン基本体からなる無方向性のペン先において、筆記時の筆圧による抑揚感を付与した場合、または筆跡幅を変化させたい場合に適用できる。
【符号の説明】
【００２５】
１  ペン先
２  ペン基本体、２ａ  先端部、２ｂ  本体部、２ｃ  挿着部
３  切割溝
４  ペン基本体保持部材
５  軸体
６  収容溝
８  インキ流通路
９  スリット
１３  インキ滞留部
１５  コイルばね
【図１】
2012131196.tif 000003
【図２】
2012131196.tif 000004
【図３】
2012131196.tif 000005
【図４】
2012131196.tif 000006
【図５】
2012131196.tif 000007
【図６】
2012131196.tif 000008
【図７】
2012131196.tif 000009
【図８】
2012131196.tif 000010